(57)【要約】【課題】インクジェット記録装置において、同じ色について浸透性の異なる複数のインクを用いて記録を行う場合の、耐マーカー性などに優れた記録を実行する。【解決手段】エッジ部は、高浸透インク（２０１、２０３）と低浸透インク（２０２）の両方を用いて記録する。これにより、高い光学濃度と、耐擦過性、耐マーカー性、定着性とを両立することができる。【選択図】図６
2012024973.tif 000002
【特許請求の範囲】
【請求項１】
第１のインクを吐出するためのノズル列と、前記第１のインクと同系色で前記第１のインクより記録媒体に対する浸透性が低い第２のインクを吐出するためのノズル列とを備える記録ヘッドを記録媒体に対して走査して記録を行うインクジェット記録装置であって、
前記記録ヘッドにより記録される記録領域のうち、記録が行われない非記録領域と接する外周領域を、第１のインクおよび第２のインクで記録し、前記記録領域のうち、前記外周領域と接する内部領域を、第２のインクを用いずに第１のインクで記録するよう、前記記録ヘッドからの第１および第２のインクの吐出を制御する記録制御手段
を具えたことを特徴とするインクジェット記録装置。
【請求項２】
前記第１のインクは前記第２のインクより表面張力が低く、かつ前記第１のインクは前記第２のインクより色材量の割合が高いことを特徴とする請求項１に記載のインクジェット記録装置。
【請求項３】
前記記録制御手段は、前記外周領域を、前記第１のインクを吐出する第１のノズル列または前記第１のインクを吐出する第３のノズル列と、前記第２のインクを吐出する第２のノズル列とを用いて記録することを特徴とする請求項１または２に記載のインクジェット記録装置。
【請求項４】
前記記録制御手段は、前記内部領域を、前記第１のノズル列および前記第３のノズル列を用いて記録することを特徴とする請求項３のいずれかに記載のインクジェット記録装置。
【請求項５】
前記第１のインクと前記第２のインクはブラックのインクであることを特徴とする請求項１ないし４のいずれかに記載のインクジェット記録装置。
【請求項６】
前記第１のインクおよび前記第２のインクの色材は顔料であることを特徴とする請求項１ないし５のいずれかに記載のインクジェット記録装置。
【請求項７】
前記第１のインクの表面張力が２０〜４０ｍＮ／ｍであり、前記第２のインクの表面張力が４０〜６０ｍＮ／ｍであることを特徴とする請求項１ないし６のいずれかに記載のインクジェット記録装置。
【請求項８】
前記第１のインクおよび前記第２のインクの色材量の割合（重量％）が、
前記第１のインクの色材量≧３
前記第２のインクの色材量≦２
であることを特徴とする請求項１ないし７のいずれかに記載のインクジェット記録装置。
【請求項９】
第１のインクを吐出するノズル列と、前記第１のインクと同系色で前記第１のインクより記録媒体に対する浸透性が低い第２のインクを吐出するノズル列とを備える記録ヘッドを記録媒体に対して走査して記録を行うためのインクジェット記録方法であって、
前記記録ヘッドにより記録される記録領域のうち、記録が行われない非記録領域と接する外周領域を、第１のインクおよび第２のインクで記録し、前記記録領域のうち、前記外周領域と接する内部領域を、前記第２のインクは用いずに第１のインクで記録するよう、前記記録ヘッドからの第１および第２のインクの吐出を制御する記録制御工程
を有したことを特徴とするインクジェット記録方法。
【発明の詳細な説明】
【技術分野】
【０００１】
本発明は、インクジェット記録装置およびインクジェット記録方法に関し、詳しくは、同じ色について浸透性の異なる複数のインクを用いて記録を行う技術に関するものである。
【背景技術】
【０００２】
この種の技術として、特許文献１には、記録する画像の領域を外周領域と内部領域とに分け、内部領域には記録媒体に対する浸透性が高い高浸透インクで記録し、外周領域には記録媒体に対する浸透性が低い低浸透インクで記録することが記載されている。これにより、内部領域ではインクによって形成されるドットの隙間を目立たないようにでき、外周領域については画像の輪郭が滲まないようにすることができる。
【０００３】
さらに、特許文献２には、外周領域を上記と同様低浸透インクで記録するとともに、内部領域を低浸透インクと高浸透インクの混合によって記録することが記載されている。これにより、特に、内部領域について低浸透インクによる高濃度記録と高浸透インクによる速い定着（定着性）との両立を図ることができる。加えて、特許文献２には、内部領域について、上記高浸透インクと低浸透インクを交互の画素に吐出することによって記録ヘッドの走査速度を増し高速記録を図ることも記載されている。
【先行技術文献】
【特許文献】
【０００４】
【特許文献１】特開２００３−０１１３３７号公報
【特許文献２】特開２００２−１１３８５０号公報
【発明の概要】
【発明が解決しようとする課題】
【０００５】
しかしながら、特許文献１および２では、外周領域を低浸透インクのみで記録するため、耐マーカー性、耐擦過性あるいは定着性に問題がある。すなわち、低浸透インクは記録媒体に着弾した後、低浸透性であることから記録媒体表面に顔料などの色材が比較的多く残る。このため、マーカーで記録画像が擦られたときに色材が溶け出して他の部分に移ったり、何らかの物体で記録画像が擦られて画像の一部が欠けたりすることがある。また、外周領域に低浸透インクを用いることによってこの外周領域を含む画像全体の定着（浸透）時間が遅くなり、記録速度の向上を図る上で障害となるという問題もある。
【０００６】
本発明は、このような問題を解決するためになされたものであり、外周領域について耐マーカー性、耐擦過性、定着性が高い記録を実行することが可能なインクジェット記録装置および記録方法を提供することを目的とする。
【課題を解決するための手段】
【０００７】
この問題を解決するために、本発明は、第１のインクを吐出するためのノズル列と、前記第１のインクと同系色で前記第１のインクより記録媒体に対する浸透性が低い第２のインクを吐出するノズル列とを備える記録ヘッドを記録媒体に対して走査して記録を行うインクジェット記録装置であって、前記記録ヘッドにより記録される記録領域のうち、記録が行われない非記録領域と接する外周領域を、第１のインクおよび第２のインクで記録し、前記記録領域のうち、前記外周領域と接する内部領域を、前記第２のインクを用いずに第１のインクで記録するよう、前記記録ヘッドからの第１および第２のインクの吐出を制御する記録制御手段を具えたことを特徴とする。
【発明の効果】
【０００８】
以上の構成によれば、記録領域を外周領域と内部領域を分割して記録する場合に、内部領域を高浸透の第１のインクで記録し、外周領域を上記高浸透の第１のインクと低浸透の第２のインクを併用して記録する。これにより、外周領域について耐マーカー性、耐擦過性、定着性が高い記録を実行することが可能となる。
【図面の簡単な説明】
【０００９】
【図１】本発明の一実施形態に係るカラーインクジェット記録装置の概略構成を示す斜視図である。
【図２】（ａ）〜（ｅ）は、本発明の実施形態に係る、インクの付与（吐出）順序と付与領域を説明する図である。
【図３】図１に示したインクジェット記録装置の記録制御系回路の概略構成を示すブロック図である。
【図４】上記実施形態のインクジェット記録装置とホストＰＣとで構成される画像処理システムにおける画像データ処理のための概略構成を示す機能ブロック図である。
【図５】本発明の第１実施形態の記録データ振り分け処理の手順を示すブロック図である。
【図６】（ａ）〜（ｌ）は、第１実施形態の振り分け処理をデータの形態で示す図である。
【図７】本発明の第２実施形態の記録データ振り分け処理の手順を示すブロック図である。
【図８】第２実施形態に係るマスク処理を説明する図である。
【図９】（ａ）〜（ｌ）は、第２実施形態の振り分け処理をデータの形態で示す図である。
【図１０】（ａ）〜（ｌ）は、本発明の第３実施形態の振り分け処理をデータの形態で示す図である。
【図１１】第３実施形態の記録データ振り分け処理の手順を示すブロック図である。
【図１２】（ａ）〜（ｌ）は、本発明の第４実施形態の振り分け処理をデータの形態で示す図である。
【図１３】（ａ）〜（ｃ）は、本発明の第５の実施形態に係る、インクの付与（吐出）順序と付与領域を説明する図である。
【図１４】第５実施形態に係る２パスのマルチパス記録を説明する図である。
【図１５】第５実施形態の記録データ振り分け処理の手順を示すブロック図である。
【図１６】（ａ）〜（ｏ）は、第５実施形態の振り分け処理をデータの形態で示す図である。
【図１７】（ａ）および（ｂ）は、図１５および図１６を用いて上述したデータ振り分けに基づくインクの付与順序を、図１３（ａ）に示した記録ヘッドの配置と図１４に示した記録媒体に対する記録ヘッドの走査順序を用いて説明する図である。
【図１８】（ａ）〜（ｌ）は、本発明の第６実施形態に係る振り分け処理をデータの形態で示す図である。
【発明を実施するための形態】
【００１０】
以下、図面を参照して本発明の実施形態を説明する。
【００１１】
＜装置構成およびインク付与順＞
図１は、本発明の一実施形態に係るカラーインクジェット記録装置の概略構成を示す斜視図である。インクタンク２０７〜２１２は、高浸透ブラック（Ｂｋ）インク、低浸透Ｂｋインク、高浸透Ｂｋインク、シアン（Ｃ）インク、マゼンタ（Ｍ）インク、イエロー（Ｙ）インクの６種類のインクをそれぞれ収容している。これらＢｋインクは、略同一の色相を有する同系色のインクであり、記録媒体上で同一の色相として視認されるものである。高浸透Ｂｋインクは、相対的に表面張力の低いインクであり、低浸透Ｂｋインクは、相対的に表面張力の高いインクである。これら６種類のインクが対応するインクタンクから記録ヘッド２０１〜２０６に供給可能に構成されている。記録ヘッド２０１〜２０６は、上記６種類のインクに対応して設けられ、インクタンク２０７〜２１２から供給されるインクを吐出することができる。
【００１２】
搬送ローラ１０３は、補助ローラ１０４とともに記録用紙などの記録媒体１０７を挟持しながら回転して記録媒体１０７を搬送するとともに、記録媒体１０７を保持する。キャリッジ１０６は、インクタンク２０７〜２１２及び記録ヘッド２０１〜２０６を搭載可能であって、これら記録ヘッド及びインクタンクを搭載して図中Ｘ方向に往復移動可能に構成されている。このキャリッジ１０６の往復移動中に記録ヘッドからインクが吐出され、これにより記録媒体に画像が記録される。記録ヘッド２０１〜２０４の回復動作時等の非記録動作時には、このキャリッジ１０６は図中の破線で示したホームポジション位置ｈに待機するように制御される。
【００１３】
図１に示すホームポジションｈに待機している記録ヘッド２０１〜２０６は、記録開始命令が入力されると、キャリッジ１０６と共に図中Ｘ方向に移動しつつ、インクを吐出して記録媒体１０７上に画像を記録する。この記録ヘッドの１回の移動（走査）によって、記録ヘッド２０１〜２０６の吐出口の配列範囲に対応した幅を有する領域に対して記録が行われる。
【００１４】
キャリッジ１０６の主走査方向（Ｘの正の方向）への１回の走査に伴う記録が終了すると、キャリッジ１０６はホームポジションｈへ向かう、主走査方向の逆方向（Ｘの負の方向）へ走査しながら、記録ヘッド２０１〜２０６で記録を行う。前回の記録走査が終了してから続く記録走査が始まる前には、搬送ローラ１０３が回転して、主走査方向と交差する副走査方向（Ｙ方向）へと記録媒体が搬送される。このように記録ヘッドの記録走査と記録媒体の搬送とを繰り返すことにより記録媒体１０７に対する画像の記録が完成する。記録ヘッド２０１〜２０６からインクを吐出する記録動作は、後述の制御手段による制御に基づいて行われる。
【００１５】
なお、上記の例では、インクタンク２０７〜２１２と記録ヘッド２０１〜２０６とを分離可能にキャリッジ１０６に搭載する構成を示した。しかし、インクタンク２０７〜２１２と記録ヘッド２０１〜２０６とが一体となったカートリッジをキャリッジに搭載する形態を採用してもよい。さらに、一つの記録ヘッドから複数色のインクを吐出可能な複数色一体型のヘッドをキャリッジに搭載する形態を採用してもよい。
【００１６】
図２（ａ）〜（ｅ）は、本発明の実施形態に係る、インクの付与（吐出）順序と付与領域を説明する図である。
【００１７】
図２（ａ）は、図１に示す記録ヘッド２０１〜２０６のうち、高浸透Ｂｋインクを吐出する記録ヘッド２０１、２０３と、低浸透Ｂｋインクを吐出する記録ヘッド２０２を示している。すなわち、本発明の実施形態では、同じ色のインクについて、高浸透インクを吐出する記録ヘッド２つと低浸透インクを吐出する記録ヘッド１つを、主走査方向に配列している。なお、記録ヘッドの形態は、同じ色のインクについて、高浸透インクを吐出するノズル列２つと低浸透インクを吐出するノズル列１つが主走査方向に配列するようこれらノズル列を一体に備えるものであってもよいことはもちろんである。
【００１８】
図２（ｂ）および（ｃ）は、記録する画像を外周領域（エッジ部）と内部領域（非エッジ部）とに分けたときに、それぞれの領域に対するインクの付与順序を示している。図２（ｂ）は主走査方向の一方向であるＸ方向に走査するときの付与順序を示し、図２（ｃ）は主走査方向の他の方向である-Ｘ方向に走査するときの付与順序を示している。これら図に示すように、これらの図において最も外側の両端それぞれのインク滴が対応する外周領域では、低浸透Ｂｋインクを付与した後に高浸透Ｂｋインクを付与する。また、上記両端以外の内部領域では、２つの高浸透Ｂｋインクを前後して付与する。なお、これらの図において、図の縦方向に並ぶ２つのインク滴は必ずしも同じ画素に重ねて付与されるわけではなく、この付与（着弾）順序の説明は、隣接する画素に付与される場合も含んでいる。以下に説明する実施形態によって、重なる場合と隣接する場合がある。
【００１９】
上記の付与順序をより具体的に説明すると以下のとおりである。図２（ｂ）に示す、Ｘ方向に記録ヘッドを走査させる場合、記録ヘッド２０３から高浸透Ｂｋインクを内部領域（非エッジ部）に付与した後、記録ヘッド２０２から低浸透Ｂｋインクを外周領域（エッジ部）にのみ付与し、続いて記録ヘッド２０１から高浸透Ｂｋインクを外周領域（エッジ部）及び内部領域（非エッジ部）に付与する。一方、図２（ｃ）に示す、−Ｘ方向に記録ヘッドを走査させる場合は、記録ヘッド２０１から高浸透Ｂｋインクを内部領域（非エッジ部）に付与した後、記録ヘッド２０２から低浸透Ｂｋインクを外周領域（エッジ部）にのみ付与し、続いて記録ヘッド２０３から高浸透Ｂｋインクを外周領域（エッジ部）及び内部領域（非エッジ部）に付与する。
【００２０】
図２（ｄ）および（ｅ）は、外周領域のインク付与順を、高浸透Ｂｋインクを付与した後低浸透Ｂｋインクを付与する順序とする例を示している。この場合、外周領域に低浸透Ｂｋのみを付与する従来の方法と比較して、耐マーカー性や定着性が向上し、加えて、低浸透Ｂｋインクに引き続き高浸透Ｂｋインクを記録する順序と比較して、画像のエッジの鮮鋭性が向上する。しかし、図２（ｂ）および図２（ｃ）に比べると耐マーカー性や定着性が低下する場合がある。従って、図２（ｂ）および（ｃ）に示した、低浸透Ｂｋインクに引き続き高浸透Ｂｋインクで記録する順序のほうが、耐マーカー性や定着性の観点では、より好ましい。
【００２１】
以上のとおり、内部領域については、高浸透インクを付与し、外周領域には低浸透インクと高浸透インクを付与する。内部領域に浸透性の高いインクを付与すると、浸透速度が速いため、耐擦過性、耐マーカー性は向上する。しかし、高浸透インクによるドットないし画像は光学濃度が低いため、高い光学濃度を得ようとする場合、記録密度を高くする必要がある。このため、以下に説明する一実施形態では、１つの画素に高浸透インクを重ねて付与することにより記録密度を高くする。
【００２２】
一方、内部領域と同様に外周領域に高浸透インクを付与する場合、高い光学濃度を得ようとすると、高い記録密度で高浸透インクを付与する必要がある。しかし、記録密度を上げるとエッジの鮮鋭性が低下する。また、外周領域を低浸透インクのみを用いて記録する方法が考えられるが、低浸透インクの場合は色材が記録媒体表面に近い部分に留まっているため、耐擦過性、耐マーカー性が低下する。そこで、本実施形態では、低浸透インクおよび高浸透インクを付与することにより、高い光学濃度と、耐擦過性、耐マーカー性、定着性とを両立するようにする。
【００２３】
また、この場合において、本願発明者等は、低浸透インク、高浸透インクの順序で付与すると、その逆の順序の場合より、光学濃度が高くなることがあるとの知見を得ている。その理由は以下のように推察することができる。最初に付与された低浸透インクは記録媒体の空隙を埋めるように浸透しながらも色材のほとんどは記録媒体表面に留まっている。この状態で次に高浸透インクが記録媒体に付与されると、低浸透インクと高浸透インクが記録媒体表面で混合しながら浸透して行き両者の浸透速度が平均化される。これにより、低浸透インクのみで記録した場合と比較して浸透速度が速くなる。その結果、高い光学濃度に加え、低浸透インクのみで記録する場合よりも耐マーカー性、耐擦過性、定着性を向上させることができる。
【００２４】
本発明の一実施形態は、さらに、同じ色ないし種類のインクについてより少ないノズル列数で高速記録を可能とするものである。すなわち、記録速度を増す１つの構成として、同じ色ないし種類のインクについて、例えば２つのノズル列を用意し、走査方向において記録すべきデータをこれら２つのノズル列に振り分けるものが知られている。これにより、それぞれのノズル列の駆動周波数を変更せずに走査速度を２倍にすることができる。本実施形態は、この構成を利用し、図２（ａ）に示すように、高浸透インクを吐出するノズル列（２０１、２０３）を２つとするものの、低浸透インクを吐出するノズル列（２０２）を１つとしながら、上記と同様２倍の走査速度を実現するものである。すなわち、図２（ｂ）〜（ｅ）にて上述したように、外周領域では、その記録データを低浸透インクおよび高浸透インクの２つのノズル列に振り分けることができ、他方、内部領域では、その記録データを２つの高浸透インクのノズル列に振り分けることができる。このように、記録の高速化を図る場合、本来であれば、高浸透インクおよび低浸透インクそれぞれについて、例えば各インク２つで合計４つのノズル列を用意するところ、合計３つのノズル列で２倍の走査速度を実現することができる。これは、図２（ｂ）〜（ｅ）にて上述したように、外周領域を高浸透インクと低浸透インクの両方を用いて記録することによって可能となるものである。この結果、ノズル列数を大幅に増すことなく走査速度の向上を図ることが可能となる。
【００２５】
＜高浸透性インク組成物および低浸透性インク組成物＞
本発明の実施形態で用いるインクに含まれる色材は、染料、顔料のいずれであってもよいが、耐水性や耐候性等の堅牢性の観点から、顔料を用いるのが好ましい。また、本発明の実施形態で使用する色材の濃度は、インクの全量に対して、重量基準で１〜１０％、より好ましくは、低浸透Ｂｋインクは１〜２％、高浸透Ｂｋインクは３〜７％の範囲が好ましい。低浸透Ｂｋインクを高浸透Ｂｋインクよりも色材濃度の低いインクを用いることで耐マーカー性と定着性をより向上させることができる。
【００２６】
＜浸透速度の制御＞
本発明の実施形態で使用するインクの記録媒体に対する浸透速度の制御は表面張力を指標として制御することができる。すなわち、高浸透Ｂｋインクは、低浸透Ｂｋインクよりも、記録媒体に対する浸透速度が速い。この浸透速度の制御の指標とする表面張力は、界面活性剤、浸透溶剤等の浸透剤を添加によって制御することができる。特に、低浸透性インクの表面張力は、４０〜６０ｍＮ／ｍであることが好ましく、高浸透性インクの表面張力は、２０〜４０ｍＮ／ｍであることが好ましい。さらに好ましくは、高浸透性インクの表面張力は、４０〜４５ｍＮ／ｍであることが好ましく、低浸透性インクの表面張力は、３０〜３５ｍＮ／ｍである。低浸透性インクの表面張力が２０ｍＮ／ｍ未満では、記録ヘッドのノズル付近で濡れを生じる場合があり、インクの不吐出や吐出方向の偏向等の不具合が生じる恐れがある。
【００２７】
以下、上述した基本形態のいくつかの実施形態に係わる、主に、高浸透インクおよび低浸透インクそれぞれの記録ヘッドに対する記録データの振り分けを具体的に説明する。
【００２８】
（実施形態１）
図３は、図１に示したインクジェット記録装置の記録制御系回路の概略構成を示すブロック図である。インクジェット記録装置６００は、インターフェイス４００を介して、ホストコンピュータ（以下、ホストＰＣ）１２００等のデータ供給装置に接続されている。データ供給装置から送信される各種データや記録に関連する制御信号等は、インクジェット記録装置６００の記録制御部５００に入力される。記録制御部５００は、インターフェイス４００を介して入力された制御信号に従ってモータドライバ４０３〜４０４やヘッドドライバ４０５を制御する。また、記録制御部５００は、入力される画像データの処理やヘッド種別信号発生回路４０５から入力される信号の処理を行う。４０１は、記録媒体１０７の搬送のために搬送ローラ１０３を回転させるための搬送モータを示す。４０２は、記録ヘッド２０１〜２０６を搭載するキャリッジ１０６を往復移動させるためのキャリッジモータを示す。４０３、４０４は、搬送モータ４０１、キャリッジモータ４０２をそれぞれ駆動するためのモータドライバを示す。４０５は記録ヘッド２０１〜２０６を駆動するヘッドドライバを示し、記録ヘッドの数に対応して複数設けられている。また、４０６はヘッド種別信号発生回路を示し、キャリッジ１０６に搭載されている記録ヘッド２０１〜２０６の種類や数を示す信号を記録制御部５００に供給する。
【００２９】
図４は、上述したインクジェット記録装置とホストＰＣとで構成される画像処理システムにおける画像データ処理のための概略構成を示す機能ブロック図である。インクジェット記録装置の記録制御部５００は、インターフェイス４００を介して、プリンタドライバがインストールされたホストＰＣ１２００より転送されるデータ処理を行う。
【００３０】
ホストＰＣ１２００では、アプリケーションから入力画像データ１０００を受け取り、受け取った入力画像データ１０００を１２００ｄｐｉの解像度でレンダリング処理１００１を行う。これによって、記録用多値ＲＧＢデータ１００２が生成される。本実施形態では、記録用多値ＲＧＢデータ１００２は２５６値のデータである。生成された記録用多値ＲＧＢデータ１００２は、記録制御部５００に転送される。
【００３１】
記録制御部５００では、多値のＲ、Ｇ、Ｂデータ１００２を、多値（２５６値）のＫ、Ｃ、Ｍ、Ｙデータ１００８に変換するための色変換処理１００７を行う。次いで、多値のＫ、Ｃ、Ｍ、Ｙデータ１００８を量子化処理１００９（例えば、誤差拡散）によって量子化（２値化）する。これにより、解像度１２００ｄｐｉの２値のＫ、Ｃ、Ｍ、Ｙデータ１０１０が生成される。このうちの２値Ｋデータに対して、エッジ処理１０１１を行う。ここで、Ｋデータは、高浸透Ｂｋインクおよび低浸透Ｂｋインクの記録データに対応し、以下で説明されるように、Ｋデータに基づいて高浸透Ｂｋインクおよび低浸透Ｂｋインクの記録データが生成される。また、Ｃ、Ｍ、Ｙデータは、Ｃ、Ｍ、Ｙインクの記録データにそれぞれ対応する。
【００３２】
図５は、記録データ振り分け処理の手順を示すブロック図である。同図に示されるように、先ず、２値Ｋデータに対してエッジ部検出処理２００１を行う。２値Ｋデータのうちの、エッジ部（外周領域）のデータ、つまり、エッジ部データ２００３が生成される。２値Ｋデータのうちの、エッジ部データに該当しなかったデータを、非エッジ部（内部領域）データ２１０３とする。本実施形態では、画像の最外郭を構成する１画素をエッジ部の画素とする。
【００３３】
エッジ部データ２００３を、低浸透インクを吐出する記録ヘッド２０２と、高浸透インクを吐出する記録ヘッド２０３または記録ヘッド２０１に振り分け、非エッジ部のデータ２１０３を、高浸透インクを吐出する記録ヘッド２０１と記録ヘッド２０３に振り分ける。
【００３４】
図６（ａ）〜（ｌ）は、この振り分け処理をデータの形態で示す図である。これらの図において、中央部横方向に示される破線は、記録ヘッドの走査方向が変化する位置を示す。破線より上部は、走査方向がＸ方向（図２（ａ）参照：図６においての右方向）で記録されるデータであり、破線より下部は、走査方向が−Ｘ方向（図６において左方向）で記録されるデータである。
【００３５】
図６（ａ）に示す２値のＫデータは、先ず、非エッジ部検出処理２００１によって、図６（ｆ）に示す非エッジ部データ２１０３と、図６（ｂ）に示すエッジ部データ２００３とに分割される。
【００３６】
次に、図６（ｆ）の非エッジ部データ２１０３は、図６（ｇ）に示す記録ヘッド２０１用データと、図６（ｉ）に示す記録ヘッド２０３用データに振り分けられる。すなわち、図６（ｇ）および（ｉ）から明らかなように、本実施形態では、非エッジ部の記録を１画素当り２滴の高浸透インクを付与する。これにより、高浸透インクによるドット密度を増して光学濃度を高くすることができる。
【００３７】
一方、図６（ｂ）に示すエッジ部データ２００３については、走査方向がＸ方向である上部の記録データは、図６（ｃ）に示す記録ヘッド２０１用データと図６（ｄ）に示す記録ヘッド２０２用のデータに振り分けられる。また、走査方向が−Ｘ方向である下部の記録データは、図６（ｅ）に示す記録ヘッド２０３用データと図６（ｄ）に示す記録ヘッド２０２用のデータに振り分けられる。すなわち、エッジ部は、高浸透インクと低浸透インクの両方を用いて記録する。これにより、高い光学濃度と、耐擦過性、耐マーカー性、定着性とを両立することができる。
【００３８】
以上のエッジ部および非エッジ部の記録データ振り分けによって、各記録ヘッド用の記録データは次のようになる。
【００３９】
高浸透インクを吐出する記録ヘッド２０１で記録するデータは、エッジ部データ（図６（ｃ））と非エッジ部データ（図６（ｇ））の論理和データ（図６（ｊ））となる。低浸透インクを吐出する記録ヘッド２０２で記録するデータは、エッジ部データ（図６（ｄ））と非エッジ部データ（図６（ｈ））の論理和データ（図６（ｋ））となる。さらに、高浸透インクを吐出する記録ヘッド２０３で記録するデータは、エッジ部データ図６（ｅ）と非エッジ部データ図６（ｉ）の論理和（図６（ｌ））となる。
【００４０】
なお、高浸透インクを吐出する記録ヘッドが１つだけの場合でも上述した記録することも可能である。その場合は、非エッジ部データ２１０３は、走査方向がＸ方向であるときは記録ヘッド２０１を用いて記録し、―Ｘ方向であるときは、記録ヘッド２０３を用いて記録することができる。
【００４１】
本実施形態で使用するインクの組成は以下の通りである。なお、以下の記載で「％」とあるものは、特に断りがない限り重量基準であり重量％である。
【００４２】
（高浸透Ｂｋインク）
顔料分散液                      ２６．６％（顔料濃度４％）  （ＣＡＢ−Ｏ−ＪＥＴ３００：顔料濃度１５％水溶液／Ｃａｂｏｔ  Ｃｏｒｐｏｒａｔｉｏｎ社製）
グリセリン                          １０％
ポリエチレングリコール１０００        １％
２−ピロリドン                        ５％
アセチレノールＥ１００            ０．３％  （川研ファインケミカル社製）
イオン交換水                          残部
上記、各成分を十分混合、攪拌し、５μｍのフィルターを通過させることにより、目的とする低浸透Ｂｋインクを得ることができる。
【００４３】
以上の組成を有するインクの表面張力は、３４．８ｍＮ／ｍである。
【００４４】
（低浸透Ｂｋインク）
顔料分散液                      １３．３％（顔料濃度２％）  （ＣＡＢ−Ｏ−ＪＥＴ３００：顔料濃度１５％水溶液／Ｃａｂｏｔ  Ｃｏｒｐｏｒａｔｉｏｎ社製）
グリセリン                          １０％
ポリエチレングリコール１０００        １％
２−ピロリドン                        ５％
アセチレノールＥ１００            ０．１％  （川研ファインケミカル社製）
イオン交換水                          残部
上記、各成分を十分混合、攪拌し、５μｍのフィルターを通過させることにより、目的とする高浸透Ｂｋインクを得ることができる。
【００４５】
以上の組成を有するインクの表面張力は、４１．０ｍＮ／ｍである。
【００４６】
（実施形態２）
本発明の第２の実施形態は、上述した基本形態において記録ヘッドの走査速度を上げることを可能とする記録データの各記録ヘッドへの振り分けに関するものである。
【００４７】
記録ヘッドでインクを吐出するのに利用する電気エネルギーを印加するために必要な時間や、吐出後に個々のノズルにインクを補給するためのリフィル時間や、電気的にデータを送信するための時間などによって、記録ヘッドの駆動周波数が制限される。本実施形態は、記録ヘッドの駆動周波数を変更することなく、１つの記録ヘッドに関する走査方向の記録解像度（以下、走査解像度）低くすることによって記録ヘッドの走査速度を増す。
【００４８】
図７は、本実施形態の記録データ振り分け処理の手順を示すブロック図である。本実施形態では、画像の最外郭から２画素をエッジ画素とする。
【００４９】
図７に示すように、エッジ部データ２００３は、マスク処理に応じて、３つの記録ヘッド２０１、２０２、２０３のいずれかに振り分けられる。エッジ部は、Ｘ方向に走査する場合、記録ヘッド２０２で先に記録した後、記録ヘッド２０１で記録する。−Ｘ方向に走査する場合には、記録ヘッド２０２で記録した後、記録ヘッド２０３で記録する。記録ヘッドを走査方向に応じて振り分けることにより、走査方向が変わっても、必ず低浸透Ｂｋインクを付与した後に高浸透Ｂｋインクを付与することができる。一方、非エッジ部データ２１０３は、マスク処理に応じて、２つの記録ヘッド２０１、２０３のいずれかに振り分けられる。非エッジ部は、Ｘ方向に走査する場合、記録ヘッド２０３で記録した後、記録ヘッド２０１で記録する。一方、−Ｘ方向に走査する場合には、記録ヘッド２０１で記録した後、記録ヘッド２０３にて記録する。
【００５０】
図８は、本実施形態に係るマスク処理を説明する図である。マスク処理では、記録ヘッド２０１〜２０３のノズル（吐出口）列と同じサイズのマスク（ａ）及びマスク（ｂ）を用いる。すなわち、このマスク（ａ）及び（ｂ）を用いることにより、記録データを２つの記録ヘッドに振り分け、これにより、１つの記録ヘッドの走査解像度を低下させることができる。なお、これらマスクは黒塗りつぶし部分に対応する記録データをＯＦＦする（出力しないようにする）。本実施形態のマスク（ａ）及び（ｂ）は、千鳥、逆千鳥の補完関係を有するにあるパターンを有するものであるが、以下に説明する走査解像度を実現できるパターンであれば上記のパターンに限定されない。
【００５１】
図９（ａ）〜（ｌ）は、本実施形態の振り分け処理をデータの形態で示す図である。なお、これら図の中央部横方向に示される破線は、図６の場合と同様、記録ヘッドの走査方向が変化する位置を示す。
【００５２】
図９（ａ）に示す画像データに対してエッジ部検出処理２００１を行うことにより、図９（ｆ）に示す非エッジ部データ２１０３と図９（ｂ）に示すエッジ部データ２００３が生成される。
【００５３】
図９（ｆ）の非エッジ部データ２１０３は、走査方向がＸ方向である上部では、マスク（ａ）によって間引かれた、図９（ｉ）に示す記録ヘッド２０３用データと、マスク（ｂ）によって間引かれた、図９（ｇ）に示す記録ヘッド２０１用データに振り分けられる。一方、走査方向が−Ｘ方向である上部では、マスク（ｂ）によって間引かれた、図９（ｉ）に示す記録ヘッド２０３用データと、マスク（ａ）によって間引かれた、図９（ｇ）に示す記録ヘッド２０１用データに振り分けられる。
【００５４】
図９（ｂ）に示すエッジ部データ２００３は、走査方向がＸ方向である上部では、マスク（ａ）によって間引かれた、図９（ｄ）に示す記録ヘッド２０２用データと、マスク（ｂ）によって間引かれた、図９（ｃ）に示す記録ヘッド２０１用データに振り分けられる。走査方向が−Ｘ方向である下部では、マスク（ａ）によって間引かれた、図９（ｄ）に示す記録ヘッド２０２用データと、マスク（ｂ）によって間引かれた、図９（ｅ）に示す記録ヘッド２０３用データに振り分けられる。
【００５５】
以上のエッジ部および非エッジ部の記録データ振り分けによって、各記録ヘッド用の記録データは次のようになる。
【００５６】
高浸透インクを吐出する記録ヘッド２０１で記録するデータは、エッジ部データ（図９（ｃ））と、非エッジ部データ（図９（ｇ））との論理和データ（図９（ｊ））である。記録ヘッド２０２で記録するデータは、エッジ部データ（図９（ｄ））と、非エッジ部データ（図９（ｈ））の論理和データ（図９（ｋ））である。さらに、記録ヘッド２０３で記録するデータは、エッジ部データ（図９（ｅ））と、非エッジ部データ（図９（ｉ））の論理和データ（図９（ｌ））である。
【００５７】
図９から分かるように、本実施形態によれば、それぞれの記録ヘッド２０１〜２０３が記録するデータは主走査方向（図１のＸ方向、図９での横方向）に間引かれており、各走査では記録データ解像度の半分のデータを記録すればよい。これにより、記録ヘッドの駆動周波数を高くすること（変更すること）なく、記録ヘッドの走査速度を２倍にすることができる。例えば、走査解像度が１２００ｄｐｉである場合において走査速度が２５ｉｐｓである系において、走査解像度を６００ｄｐｉへ下げることができることから、走査速度を５０ｉｐｓまで増すことが可能となる。この結果、記録全体にかかる時間も短くなりスループットが向上する。
【００５８】
なお、本実施形態では、外周領域（エッジ部）へは先行の記録ヘッド（−Ｘ方向の記録ヘッド２０１、Ｘ方向の記録２０３）から吐出をしないが、吐出をさせても良い。但し、光学濃度は向上するが、フェザリングが若干生じる可能性がある。先行の記録ヘッドからインクを付与するかしないかは、製品や記録媒体ごとに調整すれば良い。いずれにしろ、高浸透Ｂｋインクと低浸透Ｂｋインクを併用することにより、エッジ部の耐擦過性や耐マーカー性を向上させることができる。
【００５９】
（実施形態３）
本発明の第３の実施形態は、間引き処理の他の方法に関するものである。すなわち、本実施形態は、記録データのカラム位置に対応して、奇数カラムのデータと偶数カラムのデータを２つの記録ヘッドへ振り分ける。なお、この方法を用いる場合、エッジ部の画素数が１画素の場合に、高浸透Ｂｋインクと低浸透Ｂｋインクを混合して記録することが困難となるため、２画素以上で行うことが望ましい。
【００６０】
図１０（ａ）〜（ｌ）は、本実施形態の振り分け処理をデータの形態で示す図であり、また、図１１は、本実施形態の記録データ振り分け処理の手順を示すブロック図である。
【００６１】
２値Ｋデータ１０１０Ｋに対してエッジ処理を行う。先ず、エッジ部検出処理２００１を行う。２値Ｋデータのうちの、エッジ部のデータ、つまり、エッジ部データ２００３が生成される。２値Ｋデータのうちの、エッジ部データに該当しなかったデータを、非エッジ部データ２１０３とする。本実施形態では、エッジ画素として２画素を選択する。
【００６２】
非エッジ部データ２１０３は、そのデータのカラム位置に応じて、２つの記録ヘッドへ振り分けられる。奇数カラムのデータを記録ヘッド２０３に、偶数カラムのデータを記録ヘッド２０１にそれぞれ振り分ける。エッジ部データ２００３は、そのデータのカラム位置だけでなく、記録ヘッド２０１〜２０６の走査方向に応じて、３つの記録ヘッドへ振り分ける。走査方向がＸ方向である場合には、奇数カラムのデータをヘッド２０２、偶数カラムのデータを記録ヘッド２０１で記録するデータとする。走査方向が−Ｘ方向である場合には、奇数カラムのデータを記録ヘッド２０３で、偶数カラムのデータを記録ヘッド２０２でそれぞれ記録するデータとする。
【００６３】
図１０（ａ）に示す記録データに対して、非エッジ部検出処理２００１を行うことにより、図１０（ｆ）に示す非エッジ部データ２１０３と、図１０（ｂ）に示すエッジ部データ２００３を生成する。
【００６４】
図１０（ｆ）の非エッジ部データ２１０３は、そのカラム位置に応じて、図１０（ｉ）に示す奇数カラムのデータを記録する記録ヘッド２０３用データと、図１０（ｇ）に示す偶数カラムのデータを記録する記録ヘッド２０１用データに振り分けられる。一方、図１０（ｂ）のエッジ部データ２１０３は、走査方向Ｘの上部では、図１０（ｄ）に示す奇数カラムのデータを記録する記録ヘッド２０２用データと、偶数カラムのデータを記録する記録ヘッド２０１用データに振り分けられる。走査方向−Ｘの下部では、奇数カラムのデータに対応する記録ヘッド２０３用データと、偶数カラムのデータに対応する記録ヘッド２０２用データに振り分けられる。
【００６５】
以上のエッジ部および非エッジ部の記録データ振り分けによって、各記録ヘッド用の記録データは次のようになる。
【００６６】
記録ヘッド２０１で記録するデータは、エッジ部データ（図１０（ｃ））と非エッジ部データ（図１０（ｇ））の論理和データ（図１０（ｊ））である。記録ヘッド２０２で記録するデータは、エッジ部データ（図１０（ｄ））と非エッジ部データ（図１０（ｈ））の論理和データ（図１０（ｋ））である。さらに、記録ヘッド２０３で記録するデータは、エッジ部データ（図１０（ｅ））と非エッジ部データ（図１０（ｉ））の論理和データ（図１０（ｌ））である。
【００６７】
図１０から分かるように、それぞれの記録ヘッド２０１〜２０３が記録するデータは主走査方向（図１のＸ方向、図１０での横方向）に間引かれており、上述の第２実施形態と同様、走査速度を２倍に上げることができる。これにより、記録全体にかかる時間も短くなり、スループットを向上させることができる。
【００６８】
（実施形態４）
本発明の第４の実施形態は、上述した第２実施形態の構成において、エッジ画素として４画素を選択したものである。
【００６９】
図１２（ａ）〜（ｌ）は、第４実施形態に係る記録データ振り分け処理をデータの形態で示す図である。第２実施形態に係る図９（ａ）〜（ｌ）との対比から分かるように、本実施形態は、より高解像度とした記録データの振り分けに関するものである。記録データが高い解像度の場合、エッジ画素数をそれに応じて増やすことが望ましい。これは、解像度によっておおよそ設定される記録ヘッドの吐出量に依存するからである。例えば、６００ｄｐｉ×６００ｄｐｉの画像を記録する構成では、一般に記録ヘッドのインク吐出量は、１５〜３０ｐｌ程度に設定される。この場合の普通紙でのドット径は６０ｕｍ程度となる。これに対して、より高い解像度の１２００ｄｐｉ×１２００ｄｐｉで画像を記録する場合には、インク吐出量は、４〜１５ｐｌ程度に設定される。この場合の普通紙におけるドット径は３０ｕｍ程度となる。この状況において、内部領域のインクが外周領域を超えてはみ出ることは望ましくないため、解像度が異なっても、外周領域の幅を同程度に保つことが望ましい。この点から、上例の６００ｄｐｉ×６００ｄｐｉと１２００ｄｐｉ×１２００ｄｐｉの例では、１２００ｄｐｉ×１２００ｄｐｉの解像度の画像におけるエッジ画素数は６００ｄｐｉ×６００ｄｐｉの解像度の場合の２倍に設定する。これにより、外周領域の幅を同程度に保つことができる。また、エッジ画素数（外周領域の幅）はインクの浸透性の差に応じて設定することもでき、以上で説明した画素数に限定されないことはもちろんである。
【００７０】
（実施形態５）
本発明の第５の実施形態は、Ｂｋインクについて、高浸透インクおよび低浸透インクを吐出する２つの記録ヘッドを用い、また、同一の記録領域の記録を２回の走査で完成させる形態に関する。この形態は、第２実施形態などと比較して、スループットが低下するが記録ヘッドの数が少なくて済むため、記録装置のコストを下げることができる。
【００７１】
図１３（ａ）〜（ｃ）は、第５の実施形態に係る、インクの付与（吐出）順序と付与領域を説明する図である。
【００７２】
図１３（ａ）は、Ｃ、Ｍ、ＹインクおよびＢｋインクの記録ヘッド３０１〜３０５のうち、Ｂｋインクの２つの記録ヘッド３０１および３０２を示している。記録ヘッド３０１、３０２それぞれのノズル配列を上下に分け、記録ヘッド３０１の上半分を３０１ｂ、下半分を３０１ａ、記録ヘッド３０２の上半分を３０２ｂ、下半分を３０２ａとする。図１３（ｂ）は、Ｘ方向の走査におけるインクの付与順序を示している。一方、図１３（ｃ）は、−Ｘ方向の走査におけるインクの付与順序を示している。また、記録ヘッド３０１から吐出されるインクは高浸透Ｂｋインクであり、記録ヘッド３０２から吐出されるインクは低浸透Ｂｋインクである。
【００７３】
また、図１４は、本実施形態に係る２パスのマルチパス記録を説明する図である。２パスの双方向記録の場合、記録ヘッドの走査が終わるごとに、記録ヘッドが記録できる幅の半分の距離だけ、図中矢印方向に記録媒体を搬送する。記録ヘッドをＸ方向に走査して領域（１）を記録した後、上記矢印方向の記録媒体の搬送によって記録媒体と記録ヘッドとの相対的な位置関係が変わり、これによって記録ヘッドを−Ｘ方向に走査して領域（１）および（２）を記録することができる。同様に、記録媒体の搬送を介在させることにより、記録ヘッドをＸ方向に走査して領域（２）および（３）を記録することができる。これを繰り返し、画像データ全体を記録媒体上へ記録していく。ここで、領域（１）に着目すると、Ｘ方向に走査された記録ヘッドによる記録に引き続いて−Ｘ方向に走査された記録ヘッドによる記録が行われる。一方、領域（２）に着目すると、−Ｘ方向に走査された記録ヘッドによる記録に引き続いてＸ方向に走査された記録ヘッドによる記録が行われる。このように、ある箇所を始めに記録するときの記録ヘッドの走査方向が、領域によって異なる。領域（１）や（３）のように、始めに記録する際の記録ヘッドの走査方向がＸ方向である場合、本明細書では、「走査開始方向がＸ方向である」と表現する。また、領域（２）や（４）のように、始めに記録する際の記録ヘッドの走査方向がＸ方向である場合、本明細書上では、「走査開始方向が−Ｘ方向である」と表現する。
【００７４】
図１５は、本実施形態の記録データ振り分け処理の手順を示すブロック図である。先ず、エッジ部検出処理３００１を行う。２値Ｋデータのうち、エッジ部のデータ、つまり、エッジ部データ３００３が生成される。２値Ｋデータのうちの、エッジ部データに該当しないデータを、非エッジ部データ３１０３とする。本実施形態では、エッジ画素として２画素を選択する。
【００７５】
上述した第２実施形態と異なる点は、記録ヘッドの上述した走査開始方向によって、記録データを振り分ける記録ヘッドを変える点である。
【００７６】
非エッジ部データ３１０３は、記録ヘッド走査開始方向がＸ方向のときは、マスク（ａ）で間引かれたデータは記録ヘッド３０１ｂで記録し、マスク（ｂ）で間引かれたデータは記録ヘッド３０１ａで記録する。記録ヘッド走査開始方向が−Ｘ方向のときは、マスク（ａ）で間引かれたデータは記録ヘッド３０１ａで記録し、マスク（ｂ）で間引かれたデータは記録ヘッド３０１ｂで記録する。一方、エッジ部データ３００３は、記録ヘッド走査開始方向がＸ方向のときは、マスク（ａ）で間引かれたデータは記録ヘッド３０２ａで記録し、マスク（ｂ）で間引かれたデータは記録ヘッド３０１ａで記録する。記録ヘッド走査開始方向が−Ｘ方向のときは、マスク（ａ）で間引かれたデータは記録ヘッド３０２ｂで記録し、マスク（ｂ）で間引かれたデータは３０１ｂで記録する。
【００７７】
図１６（ａ）〜（ｏ）は、本実施形態の振り分け処理をデータの形態で示す図である。これら図において、中央部横方向に示される破線は、記録ヘッドの走査開始方向が変化する位置を示す。破線より上部は、図１４に示した領域（１）、（３）のような記録ヘッド走査開始方向がＸ（図１６において右方向）であり、破線より下部は、図１４に示した領域（２）、（４）のような記録ヘッド走査開始方向が−Ｘ（図１６での左方向）である。
【００７８】
図１６（ａ）に示す記録データに対して、エッジ部検出処理２００１を行うことにより、図１６（ｇ）に示す非エッジ部データ３１０３と、図１６（ｂ）に示すエッジ部データ３００３を生成する。
【００７９】
図１６（ｂ）のエッジ部データ３００３は、記録ヘッド走査開始方向がＸ方向の領域（破線より上部）では、マスク（ａ）で間引かれたデータは記録ヘッド３０２ａで記録するデータ（図１６（ｃ））とされる。また、マスク（ｂ）で間引かれたデータは記録ヘッド３０１ａで記録するデータ（図１６（ｄ））とされる。一方、記録ヘッド走査開始方向が−Ｘ方向の領域（破線より下部）では、マスク（ａ）で間引かれたデータは記録ヘッド３０２ｂで記録するデータ（図１６（ｅ））とされ、マスク（ｂ）で間引かれたデータは記録ヘッド３０１ｂで記録するデータ図１６（ｆ）とされる。
【００８０】
図１６（ｇ）の非エッジ部データ３１０３は、記録ヘッド走査開始方向がＸ方向の領域（破線より上部）では、マスク（ａ）で間引かれたデータは記録ヘッド３０１ｂで記録するデータ（図１６（ｋ））とされ、マスク（ｂ）で間引かれたデータは記録ヘッド３０１ａで記録するデータ（図１６（ｉ））とされる。一方、記録ヘッド走査開始方向が−Ｘ方向の領域（破線より下部）では、マスク（ａ）で間引かれたデータは記録ヘッド３０１ａで記録するデータ（図１６（ｉ））とされ、マスク（ｂ）で間引かれたデータは記録ヘッド３０１ｂで記録するデータ（図１６（ｋ））とされる。
【００８１】
以上のエッジ部および非エッジ部の記録データ振り分けによって、各記録ヘッド用の記録データは次のようになる。
【００８２】
記録ヘッド３０１ａで記録するデータは、図１６（ｄ）に示すデータと図１６（ｉ）に示すデータとの論理和データ（図１６（ｍ））である。記録ヘッド３０２ａで記録するデータは、図１６（ｃ）に示すデータと図１６（ｈ）に示すデータとの論理和データ（図１６（ｌ））である。記録ヘッド３０１ｂで記録するデータは、図１６（ｆ）に示すデータと図１６（ｋ）に示すデータとの論理和データ（図１６（ｏ））である。さらに、記録ヘッド３０２ｂで記録するデータは、図１６（ｅ）に示すデータと図１６（ｊ）に示すデータとの論理和データ（図１６（ｎ））である。
【００８３】
図１６から分かるように、それぞれの記録ヘッド３０１〜３０２が記録するデータは主走査方向（図１のＸ方向、図１６での横方向）に間引かれており、データ解像度の半分のデータを記録すれば済むようになっている。これにより、記録ヘッドの走査速度を２倍に上げることができ、記録全体にかかる時間も短くなり、若干スループットが向上する。
【００８４】
図１７（ａ）および（ｂ）は、図１５および図１６を用いて上述したデータ振り分けに基づくインクの付与順序を、図１３（ａ）に示した記録ヘッドの配置と図１４に示した記録媒体に対する記録ヘッドの走査順序を用いて説明する図である。なお、図１７（ａ）および（ｂ）では、インクの付与順序が分かりやすいようにエッジ、非エッジのデータはマスク処理を行っていないものを示している。また、図１７（ａ）及び図１７（ｂ）において、走査開始方向は領域（１）、（３）ではＸ方向、領域（２）では−Ｘ方向である。
【００８５】
走査方向がＸ方向か−Ｘ方向かに関わらず、全ての非エッジ部には、記録ヘッド３０１ｂ及び３０１ａを用いて記録を行う。記録ヘッド３０１ｂ及び記録ヘッド３０１ａにより記録を行うことにより、走査解像度は実施形態２と比較して下がるもののデータの補完をすることができる。
【００８６】
エッジ部は、走査開始方向がＸ方向の場合、まず、Ｘ方向に走査する時に記録ヘッド３０２ａで記録を行い、続いて記録ヘッド３０１ａで記録を行う。走査開始方向が−Ｘ方向の場合、Ｘ方向に走査する時に、記録ヘッド３０２ｂで記録を行い、続いて記録ヘッド３０１ｂで記録を行う。走査開始方向が−Ｘ方向の場合、記録ヘッドを−Ｘ方向に走査する時に、記録ヘッド３０２ａで記録を行わない。これは記録３０２ａで記録する以前に、記録ヘッド３０１ａが通過してしまうためであり、低浸透Ｂｋインクに続いて高浸透Ｂｋインクの記録が行えないため、鮮鋭性が低下する可能性があるためである。
【００８７】
（実施形態６）
以上の第１〜第５の実施形態ではＢｋインクが高浸透インクと低浸透インクに該当する場合について説明したが、本発明の適用はこの形態に限られないことはもちろんである。例えば、カラー画像が隣接している場合には、エッジ部検出処理を行わずに非エッジ部として記録することが行われる。
【００８８】
図１８（ａ）〜（ｌ）は、この場合の振り分け処理をデータの形態で示す図である。図１８（ａ）に示す記録データのうち、斜線部はカラー画像の記録データであり、黒塗り部は、図９（ａ）と同様、２値Ｋデータである。図１８（ｆ）は、非エッジ部データ２１０３を示し、図１８（ｂ）はエッジ部データ２００３を示している。図９に示す形態と比較すると、カラーが隣接しているために、Ｂｋ単独ではエッジと考えられる右端が非エッジデータとして生成される。
【００８９】
以上の各実施形態から明らかなように、本発明は、高浸透の第１のインクを吐出する記録ヘッドと、第１のインクと同一の色相であって第１のインクより記録媒体に対する浸透性が低い低浸透の第２のインクを吐出する記録ヘッドを用いて記録を行う。その際に、記録領域のうち、記録が行われない非記録領域と接する外周領域を、第１のインクおよび第２のインクで記録し、内部領域を、第１のインクで記録するよう、それぞれの記録ヘッドからの第１および第２のインクの吐出を制御するものである。また、一実施形態では、外周領域を、第１のインクを吐出する第１のノズル列、またはこのノズル列とは別の、第１のインクを吐出する第３のノズル列と、前記第２のインクを吐出する第２のノズル列とを用いて記録する。さらに、記録ヘッドの走査の方向に第１記録ヘッド、第２記録ヘッド、第３記録ヘッドをこの順に配置することにより、記録ヘッドを往復走査させて記録する際、いずれの方向の走査においてもエッジ部を低浸透インク、高浸透インクの順に記録を行うことができる。また、低浸透インクの記録ヘッドと高浸透インクの記録ヘッドをノズル配列方向（副走査方向）に配置することで、エッジ部に対して低浸透インク、高浸透インクの順に記録が行われるようにすることもできる。さらに、一実施形態では、第１のインクは前記第２のインクより表面張力が低く、かつ第１のインクは第２のインクより色材量の割合が高いものである。
【符号の説明】
【００９０】
２０１〜２０６    記録ヘッド
３０１    記録制御部
４０７    ２値ＫＣＭＹデータ
４０８    エッジ処理部
【図１】
2012024973.tif 000003
【図２】
2012024973.tif 000004
【図３】
2012024973.tif 000005
【図４】
2012024973.tif 000006
【図５】
2012024973.tif 000007
【図６】
2012024973.tif 000008
【図７】
2012024973.tif 000009
【図８】
2012024973.tif 000010
【図９】
2012024973.tif 000011
【図１０】
2012024973.tif 000012
【図１１】
2012024973.tif 000013
【図１２】
2012024973.tif 000014
【図１３】
2012024973.tif 000015
【図１４】
2012024973.tif 000016
【図１５】
2012024973.tif 000017
【図１６】
2012024973.tif 000018
【図１７】
2012024973.tif 000019
【図１８】
2012024973.tif 000020